(57)【要約】      （修正有）【課題】内管、第１カウンターウェイト、第２カウンターウェイト、外管、及びグリップを備えるゴルフ練習用クラブを提供する。【解決手段】ゴルフ練習用クラブは、内管１の両端にそれぞれ第１取付穴及び第２取付穴を設け、第１カウンターウェイト３が第１取付穴に固定され、第２カウンターウェイト２が第２取付穴に固定され、外管４が内管にかぶせて装着され、グリップ５が外管の一端にかぶせて装着され、そのうち、第１カウンターウェイトの重量は第２カウンターウェイトの重量よりも重い。【効果】ゴルフ練習用クラブは、設計が簡単で、持ち運びに利便性が高く、両端にそれぞれ重量の異なる２つのカウンターウェイトを設置する。使用者は、ゴルフ練習用クラブのそれぞれの端部を握ってスイングすることで、スイングスピード及びボールを打つ力加減といった異なる練習を行うことができ、使用者の練習効果が向上する。【選択図】図１
2020025876.tif 000002
【特許請求の範囲】
【請求項１】
両端にそれぞれ第１取付穴及び第２取付穴を設けた内管と、
前記第１取付穴に固定された第１カウンターウェイトと、
前記第２取付穴に固定された第２カウンターウェイトと、
前記内管にかぶせて装着された外管と、
前記外管の一端にかぶせて装着されたグリップと、を含み、
前記第１カウンターウェイトの重量が第２カウンターウェイトの重量よりも重いことを特徴とする、ゴルフ練習用クラブ。
【請求項２】
前記ゴルフ練習用クラブの規格サイズが３８〜４５インチであることを特徴とする、請求項１に記載のゴルフ練習用クラブ。
【請求項３】
前記第１カウンターウェイトの重量が前記第２カウンターウェイトの重量の１．５〜３倍であることを特徴とする、請求項１または２に記載のゴルフ練習用クラブ。
【請求項４】
前記第１カウンターウェイト及び前記第２カウンターウェイトの外面には、鋸歯状の突起部又はローレット加工部を設けることを特徴とする、請求項１〜３のいずれか１項に記載のゴルフ練習用クラブ。
【請求項５】
前記第１カウンターウェイト及び前記第２カウンターウェイトが、鉄、アルミニウム、及びステンレスのうち１種を用いることを特徴とする、請求項１〜４のいずれか１項に記載のゴルフ練習用クラブ。
【請求項６】
前記内管の外径が１０ｍｍ〜１８ｍｍであり、内径が８ｍｍ〜１６ｍｍであることを特徴とする、請求項１〜５のいずれか１項に記載のゴルフ練習用クラブ。
【請求項７】
前記外管の外径が１２ｍｍ〜２０ｍｍであり、内径が１０ｍｍ〜１８ｍｍであることを特徴とする、請求項１〜６のいずれか１項に記載のゴルフ練習用クラブ。
【請求項８】
前記グリップの外径が、外管に向かう方向に沿って次第に小さくなることを特徴とする、請求項１〜７のいずれか１項に記載のゴルフ練習用クラブ。
【請求項９】
前記内管及び外管にはＰＣ、ＰＶＣ、ＰＰ、及びＰＳのうち１種を用いることを特徴とする、請求項１〜８のいずれか１項に記載のゴルフ練習用クラブ。
【請求項１０】
前記外管と２つの前記グリップとの間にはそれぞれ固定接着層を設けることを特徴とする、請求項１〜９のいずれか１項に記載のゴルフ練習用クラブ。
【発明の詳細な説明】
【技術分野】
【０００１】
本発明はスポーツ製品技術分野に関し、具体的には、ゴルフ練習用クラブに関する。
【背景技術】
【０００２】
ゴルフは、近年の普及に伴い次第に社会に入り込んできており、余暇を利用してゴルフをする人が増えている。そして、ゴルフは絶え間ない経験の蓄積があってはじめてスイングの力加減及びスイングスピードをしっかりと、柔軟に把握でき、一定のレベルでプレーできるようになる。
【０００３】
ゴルフのレベルを向上させるために、一般的にはゴルフ場でゴルフの練習を行う必要がある。しかし、これには少なからず場所の使用料がかかり、さらに、ゴルフ場は一般的には辺鄙な場所に設置されるため、練習の度に遠出する必要があり、ゴルフの練習には非常に不便である。そのため、市場には多くのゴルフ練習器具が出たが、前記練習器具は一般的に容積が大きく、設置に場所をとり、かつ前記練習器具は練習の目標が１つしかなく、スイングの力加減、スピード、正確性のうち１つしか練習できないため、練習の効果が偏ったものになり、レベル向上に時間がかかる。
【発明の概要】
【発明が解決しようとする課題】
【０００４】
従来技術の不備に対して、本発明は便利に使え、持ち運びに利便性が高いゴルフ練習用クラブを提供する。
【課題を解決するための手段】
【０００５】
本発明が公開するゴルフ練習用クラブは、内管、第１カウンターウェイト、第２カウンターウェイト、外管、及びグリップを備え、内管の両端にはそれぞれ第１取付穴及び第２取付穴を設け、第１カウンターウェイトは第１取付穴に固定され、第２カウンターウェイトは第２取付穴に固定され、外管は内管にかぶせて装着され、グリップは外管の一端にかぶせて装着され、そのうち第１カウンターウェイトの重量は第２カウンターウェイトの重量よりも重い。
【０００６】
本発明の一実施形態によると、ゴルフ練習用クラブの規格サイズは３８〜４５インチである。
【０００７】
本発明の一実施形態によると、第１カウンターウェイトの重量は第２カウンターウェイトの重量の１．５〜３倍である。
【０００８】
本発明の一実施形態によると、第１カウンターウェイト及び第２カウンターウェイトの外面には、鋸歯状の突起部又はローレット加工部を設ける。
【０００９】
本発明の一実施形態によると、第１カウンターウェイト及び第２カウンターウェイトは、鉄、アルミニウム、及びステンレスのうち１種を用いる。
【００１０】
本発明の一実施形態によると、内管の外径は１０ｍｍ〜１８ｍｍであり、内径は８ｍｍ〜１６ｍｍである。
【００１１】
本発明の一実施形態によると、外管の外径は１２ｍｍ〜２０ｍｍであり、内径は１０ｍｍ〜１８ｍｍである。
【００１２】
本発明の一実施形態によると、グリップの外径は、外管に向かう方向に沿って次第に小さくなる。
【００１３】
本発明の一実施形態によると、内管及び外管にはＰＣ、ＰＶＣ、ＰＰ、及びＰＳのうち１種を用いる。
【００１４】
本発明の一実施形態によると、外管と２つのグリップ間にはそれぞれ固定接着層を設ける。
【発明の効果】
【００１５】
本発明を従来技術と区別する有益な効果は、次の通りである。即ち、本発明のゴルフ練習用クラブは設計が簡単で、持ち運びに利便性が高く、両端にそれぞれ重量の異なる２つのカウンターウェイトを設置し、使用者は、ゴルフ練習用クラブのそれぞれの端部を握ってスイングすることで、スイングスピード及びボールを打つ力加減といった異なる練習を行い、練習効果を向上させることができる。
【図面の簡単な説明】
【００１６】
ここで説明する図面は、本出願をさらに理解するのに用い、本出願の一部を構成する。本出願の概略的実施例及びその説明は本出願を説明するのに用いられ、本出願に対して限定をするものではない。図面において、
【図１】本出願におけるゴルフ練習用クラブの構造概略図。
【図２】本出願におけるゴルフ練習用クラブの分解概略図。
【発明を実施するための形態】
【００１７】
以下で、図を用いて本発明の複数の実施形態を明らかにする。説明を明確にするために、実務上の細部の多くにつき以下の記述で併せて説明する。しかしながら、これらの実務上の細部は、本発明を限定するのに用いられるべきではないことを理解すべきである。つまり、本発明の一部の実施形態において、これらの実務上の細部は必須のものではない。その他、図を簡略化するために、従来の一般的な構造及び構成部品の一部を、図において簡単で概略的な形態で図示する。
【００１８】
本発明の実施例において、すべての方向指示語（例えば、上、下、左、右、前、後等）は、ある特定の形態（図面に示すような）での各部材間の相対的な位置関係、動作状況等を説明することのみに用いられ、当該特定の形態が変更される場合、当該方向指示語もそれに応じて変更されることに留意する必要がある。
【００１９】
その他、本発明において「第１」「第２」等の記述は、目的の記述にのみ用いられ、順序又は順位を特に言明するものではなく、本発明を限定するものでもない。「第１」「第２」等の記述は、同じ技術用語で記述された構成部品又は操作を区別するためのものにすぎず、相対的な重要性を指し示したり若しくはほのめかしたり、又は技術的特徴の数量を暗黙のうちに示していると理解してはならない。そのため、「第１」「第２」と限定される特徴は、少なくとも当該特徴の１つを明示又は暗黙のうちに含むことができる。
【００２０】
図１及び図２を参照されたい。これらは、それぞれ本出願におけるゴルフ練習用クラブの構造概略図及び分解概略図である。
【００２１】
本出願は、主にゴルフのスイング練習に用いられ、全体の形状が棒状で、規格サイズが３８〜４５インチであるゴルフ練習用クラブを提供する。本出願において、ゴルフ練習用クラブの規格サイズは、４０、４１、４２、４３インチを採用してもよく、４種類の異なる規格サイズとすることで、消費者のそれぞれ異なるニーズを満たし、市場適応性を向上させる。
【００２２】
ゴルフ練習用クラブは、内管１、第１カウンターウェイト３、第２カウンターウェイト２、外管４、及びグリップ５を備え、内管１の両端には第１取付穴１１及び第２取付穴１２をそれぞれ設け、第１取付穴１１及び第２取付穴１２はつながっておらず、第１カウンターウェイト３は第１取付穴１１に固定され、第２カウンターウェイト２は第２取付穴１２に固定され、外管４は内管１にかぶせて装着され、グリップ５は外管４の一端にかぶせて装着され、前述の方式により順次組み立てることで、ゴルフ練習用クラブを素早く組み立てることができ、さらに、内管１、第１カウンターウェイト３、第２カウンターウェイト２、及び外管４はいずれも管状のものを用いることで、ゴルフ練習用クラブ全体の形状を棒状とし、持ち運びの利便性を高くし、かつゴルフクラブの形状と類似したものとし、シミュレーション効果を良好なものとする。そのうち、第１カウンターウェイト３の重量を第２カウンターウェイト２の重量よりも重くすることで、ゴルフ練習用クラブの両端に重量差を生じさせ、使用者がゴルフ練習用クラブのそれぞれの端部を握って練習を行う際、内容の異なる練習を行うことができる。そのうち、ゴルフ練習用クラブの第１カウンターウェイト３寄りの一端を握って練習を行う場合、スイングスピードを鍛えることができる。また、ゴルフ練習用クラブの第２カウンターウェイト２寄りの一端を握って練習を行う場合、ボールを打つ力加減を練習することができる。一実施例において、グリップ５を２つ用い、グリップ５をそれぞれ外管４の両端にかぶせて装着、即ち、グリップ５の１つを外管４の一端にかぶせて装着し、もう１つを外管４の他の一端にかぶせて装着することで、ゴルフ練習用クラブの両端がどちらもグリップ５を介して握れるようになる。具体的な応用においては、第１カウンターウェイト３の重量は第２カウンターウェイト２の重量の１．５〜３倍である。例えば、第１カウンターウェイト３の重量が１２５ｇで、第２カウンターウェイト２の重量が４２ｇである。本出願において、内管１は外径が１０ｍｍ〜１８ｍｍ、内径が８ｍｍ〜１６ｍｍであり、外管４は外径が１２ｍｍ〜２０ｍｍ、内径が１０ｍｍ〜１８ｍｍである。
【００２３】
内管１及び外管４はＰＣ、ＰＶＣ、ＰＰ、及びＰＳのうち１種を用いることが好ましい。そのうち、ＰＣ材を用いると、内管１及び外管４の耐衝撃強度を向上させ、同時に、生産プロセスにおいて熱安定性を良好なものとすることができる。本申請におけるゴルフ練習用クラブ２本について三点曲げ試験を実施した。試験結果を表１に示す。
【００２４】
【表１】
2020025876.tif 000003
【００２５】
表１からわかるように、本出願のゴルフ練習用クラブの曲げ強度性能は良好である。
【００２６】
第１カウンターウェイト３及び第２カウンターウェイト２は、鉄、アルミニウム、及びステンレスのうち１種を用い、第１カウンターウェイト３及び第２カウンターウェイト２の外面には、鋸歯状の突起部又はローレット加工部を設けることが好ましい。こうすることで、第１カウンターウェイト３及び第２カウンターウェイト２がそれぞれ内管１の内壁と生じる摩擦を増やすことができる。一実施例において、第１カウンターウェイト３及び第２カウンターウェイト２の両者の外面には、一方に鋸歯状の突起部を設け、もう一方にローレット加工部を設け、両者の外面に異なる加工を施すことで、本発明のゴルフ練習用クラブを組み立てる際、第１カウンターウェイト３及び第２カウンターウェイト２を容易に区別でき、これによって組み立て速度を速め、組み立て誤りを防止する。
【００２７】
引き続き図１及び図２を参照されたい。グリップ５の外径は、外管に向かう方向に沿って次第に小さくなることが好ましい。こうすることで、グリップ５の垂直断面は台形となり、グリップ５を握る際、ゴルフ練習用クラブは脱落しにくくなる。具体的な応用においては、グリップ５はＴＰＥ材を用いることで、グリップ５の触感がさらに柔らかくなり、グリップ５の握りがさらにしっかりとしたものになる。
【００２８】
引き続き図１及び図２を参照されたい。外管４と２つのグリップ５との間にはそれぞれ固定接着層６を設け、そのうち固定接着層６は２液型接着材料を用いることが好ましい。固定接着層６は、ゾルで固定する方法により外管４とグリップ５間に固定され、かつ外管４とグリップ５間は固定接着層６により固定・接続されることで、グリップ５が外管４上に強固に固定される。そのうち、グリップ５は取付穴を１つ備え、グリップ５は取付穴により外管４にかぶせて装着され、固定接着層６は取付穴内に位置し、かつ外管４とグリップ５間に位置する。こうすることで、固定接着層６とグリップ５の内壁との接触面積をさらに大きくすることができ、これによって外管４と２つのグリップ５間の接続を強固にする。
【００２９】
引き続き図１及び図２を参照されたい。内管１と第１カウンターウェイト３間及び内管１と第２カウンターウェイト２間はともに固定接着層６が設けられ、固定接着層６により内管１と第１カウンターウェイト３間及び内管１と第２カウンターウェイト２間の接続を強固にすることで、第１カウンターウェイト３及び第２カウンターウェイト２の緩みを防止し、これによって製品を使用しやすくすることがさらに好ましい。
【００３０】
以上をまとめると、本発明のゴルフ練習用クラブは設計が簡単で、形状が棒状であり、持ち運びに利便性が高く、両端にそれぞれ重量の異なる第１カウンターウェイト３及び第２カウンターウェイト２を設置し、使用者は、本発明のゴルフ練習用クラブのそれぞれの端部を握ってスイングすることで、スイングスピード及びボールを打つ力加減といった異なる練習を行うことができ、使用者の練習に対するニーズを満たし、練習効果を向上させる。
【００３１】
上述の説明は、本発明の実施形態にすぎず、本発明を限定するものではない。当業者にとっては、本発明には各種変更及び改変が可能である。本発明の精神及び原理におけるいかなる変更、等価な置換、改良等は、すべて本発明の特許請求の範囲に含まれるべきである。
【符号の説明】
【００３２】
１   内管
２   第２カウンターウェイト
３   第１カウンターウェイト
４   外管
５   グリップ
６   固定接着層
１１   第１取付穴
１２   第２取付穴
【図１】
2020025876.tif 000004
【図２】
2020025876.tif 000005